(57)【要約】【課題】菜園や果樹園を鳥獣から保護する防護柵に関し、安価で設置及び撤去が容易にできると共に、撤去した部材の保管にも場所をとらず、必要により防鳥ネットを簡易に装着することが可能な防護柵を提供する。【解決手段】下半部４ｂを地中に打込んで立設された支柱１と、この支柱の地上部の下端から上端に亘って形成されている差込みスリット７と、両側端部をスリット７に差込んで２本の支柱間に波目を横にして架設された波板２とからなる。スリット７は、２本の棒材４ａ、６の間に形成し、この２本の棒材の先端相互を繋ぐメガネ型の閉止部材３、３ａを設ける。角部には、互いに直行する方向のスリットを形成した支柱を用いる。支柱１の上端に上支柱を立設し、この上支柱間に架設された横梁に防鳥ネットを設置することができる。【選択図】      図１
2006166723.tif 000002
【特許請求の範囲】
【請求項１】
下半部(4b)を地中に打込んで所定間隔で立設された支柱(1,15)と、この支柱の地上部の下端から上端に亘って形成されている差込みスリット(7)と、両側端部を上記スリットに差込んで２本の支柱間に波目を横にして架設された波板(2)とからなる、防護柵。
【請求項２】
前記支柱が第１の棒材(4)とその中間部にスペーサ(5)を介して下端を溶着された第２の棒材(6)とからなり、第１の棒材の上半部(4a)と第２の棒材(6)との間に前記スリットが形成され、この支柱の第１と第２の棒材の先端相互を繋ぐように嵌挿されるメガネ型の閉止部材(3,3a)を備えている、請求項１記載の防護柵。
【請求項３】
ジョイント部材(10)で下端を上記支柱の上端に固定して立設された上支柱(20)と、Ｌ型ないしＴ型の連結部材を介して複数本の上支柱(20)の上端間に架設された横梁(24)と、これら上支柱と横梁にクリップ(31)で着脱自在に止着された防鳥ネット(25)とを備えている、請求項１又は２記載の防護柵。
【請求項４】
第１の棒材(4)とその中間部にスペーサ(5)を介して下端を溶着された第２の棒材(6)とを備え、当該第１の棒材の上半部(4a)と第２の棒材(6)との間に上端が開放されたスリット(7)が形成されている支柱本体と、この支柱本体の第１と第２の棒材の先端相互を繋ぐように嵌挿されるメガネ型の閉止部材(3,3a)とからなる、防護柵用支柱。
【発明の詳細な説明】
【技術分野】
【０００１】
この発明は、菜園や果樹園その他の農耕地に設置して作物を鳥獣から保護するのに用いる簡便で設置及び撤去が容易な防獣・防鳥用の防護柵（防護囲いを含む。）に関するものである。
【背景技術】
【０００２】
休耕田や山麓の比較的小規模の菜園や果樹園は、鳥獣の被害を受けやすい。家庭菜園などでは、柵や囲いが設けられていないことが多いため、鳥獣は容易に菜園内に侵入することができる。これを防ぐために鳥獣が侵入するおそれがある境界に沿って柵や囲いを設置することも行われている。
【０００３】
一方、果樹園いおいては、周囲を防護柵で囲むことが多く、更に鳥害を避けるために、全体を防鳥ネットで被うことが広く行われている。
【０００４】
この柵や囲いの材料として間伐材や型鋼、波板などが用いられているが、従来構造の柵や囲いは設置や撤去に手数がかかる。そのためこの種の柵や囲いは、四季を通じて設置したままにしてあるのが普通である。
【特許文献１】特開平８−１７７０１６号公報
【特許文献２】特開平８−２３２５０９号公報
【発明の開示】
【発明が解決しようとする課題】
【０００５】
常時設置する防護柵は、台風の風や冬期の積雪にも耐える強度や耐光性を備えたものとする必要があり、強靱な構造にするために材料が高価であったり設置に手間がかかったりして、コストが高くなる。
【０００６】
この発明は、安価で設置及び撤去が容易にできると共に、撤去した部材の保管にも場所をとらず、必要により防鳥ネットを簡易に装着することが可能な農耕地用の防護柵ないし防護囲いを提供することを課題としている。
【課題を解決するための手段】
【０００７】
上記課題を解決した本願の請求項１の発明に係る防護柵は、下半部４ｂを地中に打込んで所定間隔で立設された支柱１、１５と、この支柱の地上部の下端から上端に亘って形成されている差込みスリット７と、両側端部を上記スリットに差込んで２本の支柱間に波目を横にして架設された波板２とからなることを特徴とするものである。
【０００８】
また本願の請求項２の発明に係る防護柵は、上記構造を備えた防護柵において、前記支柱が第１の棒材４とその中間部にスペーサ５を介して下端を溶着された第２の棒材６とからなり、第１の棒材の上半部４ａと第２の棒材６との間に前記スリットが形成され、この支柱の第１と第２の棒材の先端相互を繋ぐように嵌挿されるメガネ型の閉止部材３、３ａを備えていることを特徴とするものである。
【０００９】
また本願の請求項４の発明に係る防護柵用支柱は、上記請求項１又は２記載の防護柵に用いる支柱であって、第１の棒材４とその中間部にスペーサ５を介して下端を溶着された第２の棒材６とを備え、当該第１の棒材の上半部４ａと第２の棒材６との間に上端が開放されたスリット７が形成されている支柱本体と、この支柱本体の第１と第２の棒材の先端相互を繋ぐように嵌挿されるメガネ型の閉止部材３、３ａとからなることを特徴とするものである。
【００１０】
上記構造の防護柵は、スリット７を柵の延在方向にして下半部４ｂを地中に打ち込むことにより、支柱１、１５を波板２の長さより若干短い間隔で立設し、隣接する支柱１、１５のスリット７に隣接する波板と端辺を重ね合わせた状態で波板２の両端部を両側の支柱のスリット７に順次挿入することによって設置される。
【００１１】
支柱１、１５は、スリット７の下端が略地表高さとなるように打ち込んで挿入した波板２と地表面との間に鳥獣が通る隙間が生じないようにする。スリット７は、波板２の幅（設置時の高さ）Ｗより若干長く（高く）し、波板２を挿入した後の当該波板の上縁から突出する部分に閉止部材３、３ａを嵌合して、外力によってスリット７の上端が広がるのを防止する。
【００１２】
波板２は、スリット７に横から差込むこともできるので、スリット７の上端にもスペーサを溶着して閉止した構造とすることもできるが、上端が開放されたスリット７を設けて波板２を装着してから閉止部材３、３ａでスリット７を閉鎖するのが作業上便利である。
【００１３】
防護柵の角部に立設する支柱は、互いに直行する方向のスリット７、７を形成した支柱１５を用いる。この角部の支柱１５を丸棒で製作するときは、第１の丸棒４の中間部にスペーサ５を介して２本の第２の棒材６の下端を溶着した構造とする。角部を介して隣接する波板２は、その一方の端部を波目と直角の方向に９０度折り曲げて、他方の波板の端辺と重ねた状態で、角部の支柱１５に形成された２個のスリット７、７に挿入する。角部の支柱１５の上端に嵌挿する閉止部材は、２つ目のメガネ型のものを上下に段違いに嵌装するか、あるいは３個の短パイプを溶着した３つ目メガネ型の閉止部材３ａを用いる。
【００１４】
本願の請求項３の発明に係る防護柵は、上記請求項１又は２記載の防護柵に防鳥ネットを設置した構造で、ジョイント部材１０で下端を上記支柱の上端に固定して立設された上支柱２０と、Ｌ型ないしＴ型の連結部材を介して複数本の上支柱２０の上端間に架設された横梁２４と、これら上支柱と横梁にクリップ３１で着脱自在に止着された防鳥ネット２５とを備えていることを特徴とするものである。
【００１５】
防護柵で囲む農地が狭いときは、請求項１、２の防護柵を設置するだけで、カラスなどの害鳥の進入を防止することができる。カラスなどの大型の鳥は、垂直方向に飛び立つことができないし、着地してから歩いて農地へ侵入するのが普通だからである。
【００１６】
しかし、農地が広い場合や果樹を保護する場合には、請求項１、２記載の防護柵では、囲いの高さが一般的な波板の幅の６０ｃｍ程度なので、鳥害から作物を保護する囲いとしては不十分である。そこでこのような場合には、請求項１、２記載の防護柵の支柱１、１５に上支柱２０を継ぎ足して、地上高さが１８０ｃｍ程度の支持枠を作り、当該支持枠に防鳥ネット２５を止着して、作物を鳥害から保護する。
【００１７】
防鳥ネット２５を備えた上記構造の防護柵は、請求項１又は２記載の防護柵を設置した後、各支柱１、１５の上端にジョイント部材１０を介して上支柱２０を立設し、この上支柱２０の上端にＬ形、Ｔ形、屈折Ｔ形のパイプ材からなる連結部材を介して横梁２４を装架し、更に必要に応じてこれらの横梁で囲まれた天井面に天井梁２６を桁状ないし井桁状に架設して、その上に防鳥ネット２５を被せ、断面Ｃ形をしたクリップ３１や紐などで当該ネットを上支柱２０、横梁２４、天井梁２６などに適宜止着することにより、設置される。
【００１８】
上支柱２０、横梁２４及び天井梁２６は、丸棒を所定長さに切断したもので、総て同じ太さとし、棒鋼や鉄筋などを用いて製作する。ジョイント部材１０、連結部材２２、２３及び交点係止部材２７は、これらの棒材を挿通可能なパイプ材で製作する。ジョイント部材１０には、支柱の棒材４及び上支柱２０を固定するための止めボルト２１を設けておく。
【００１９】
天井梁２６の交差部分には、パイプ材にその軸方向と直行する軸方向のＵ形のブラケット２９を溶着した構造の交点係止部材２７を設け、交差する一方（上側）の天井梁にパイプを挿入して下向きにしたＵ字ブラケットに他方の（下方の）天井梁を挿入して交点の安定化を図るのが好ましい。
【００２０】
上記この発明の構造の防護柵は、支柱１、１５とその閉止部材３、３ａ及びジョイント部材１０や連結部材２２、２３、交点係止部材２７などを製作すれば、あとの部材は広く市販されている波板や棒鋼などを所定長さに切断したものを使用して設置することができる。また、支柱１、１５やジョイント部材１０、連結部材２２、２３及び交点係止部材２７も、棒材やパイプ材を所定長さに切断して溶接やねじ孔加工を行うのみで製作することができるので、極めて安価に提供することができる。
【００２１】
また、設置した防護柵を撤去するときは、設置時と逆の手順で各部材を取り外してゆけばよく、取り外した各部材は、波板と細長い棒状の部材及び比較的短い長さの部材並びに折り畳むことができる防鳥ネットなので、容易に保管することができ、また繰り返して再利用することができる。
【発明の効果】
【００２２】
以上説明したこの発明により、比較的小面積の菜園や果樹園の作物を鳥獣の害から保護する防護柵ないし防護囲いを簡易に設置することができ、また収穫が終わったら撤去して再設置の時期まで保管することも容易な技術手段を提供できる。
【００２３】
従ってこの発明により、休耕田や山林に近い平坦地に作られた比較的小規模の菜園や果樹園の作物を少ない費用と労力とで鳥獣の害から保護することができるという効果がある。
【発明を実施するための最良の形態】
【００２４】
以下、図面を参照してこの発明の実施形態を説明する。図１及び図２は、防護柵が直線に延びる部分の分解斜視図及び平面図で、１は支柱、２は波板、３は閉止部材である。
【００２５】
支柱１は、第１の金属棒材４の中間部にスペーサ５を介して第２の金属棒材６の下端を溶着して一体化したもので、この溶着部より上の第１の棒材の上半部４ａと第２の棒材６との間にスリット７が形成されている。第１の棒材４と第２の棒材６とは平行である。溶着部８より下方の第１の棒材の下半部４ｂは、下端９を尖らした土中への打ち込み部となっている。
【００２６】
第１の棒材の上半部４ａと第２の棒材６との間隔は、その間に形成されたスリット７に波板２を２枚重ねにして、ちょうど嵌装できる間隔にしてある。閉止部材３は、短く切った２個のパイプ材をその中心間隔が上記棒材相互の間隔になるようにスペーサ１７を介して溶着した構造である。この閉止部材３は、互いに隣接する波板２の隣接端部相互を重ね合わせた状態でスリット７に挿入した後、当該スリットの上端を閉鎖するように波板２の上縁から突出している棒材４、６の上端に嵌装される。第１の棒材４は、この閉止部材３の上に更に後述するジョイント部材１０を挿通することができるように、先端が閉止部材３の上に突出する長さを備えている。
【００２７】
図３及び図４は、防護柵の角部の構造を示した図である。角部の支柱１５は、第１の棒材４の中間部に２本の第２の棒材６、６がスペーサ５を介して溶着された構造で、互いに直交する方向の２個のスリット７、７が形成されるように、２本の第２の棒材６は、第１の棒材４に対して９０度位相が異なる位置に溶着されている。
【００２８】
角部の支柱１５を挟んで隣接する２枚の波板の一方２ａは、その角部側の側端部が波目１６と直交する方向に直角に折り曲げられており、当該端部は、角部の支柱１５の２個のスリットに挿通さている。一方、他方の波板２ｂの端部は、角部の支柱の２個のスリット７の一方にのみ挿通されている。
【００２９】
角部の支柱の３本の棒材の上端は、図１に示したメガネ形の閉止部材３を２個段違いに挿通することもできるが、好ましくは図３に示すように、３個のパイプ材をスペーサ１７を挟んで溶着した３つ目の閉止部材３ａを用いるのが好ましい。この閉止部材３ａを角部の支柱１５の先端に挿通することで、第１の棒材４と２本の第２の棒材６との間に形成された２個のスリット７の上端間隔が共に所定間隔に固定される。
【００３０】
支柱１及び角部の支柱１５は、第１の棒材の下半部４ｂをスリット７の下端が略地表面となる位置まで土中に打ち込んで、波板２の長さ（設置したときの幅）より若干短い間隔で立設される。波板２は、図２又は図３に示したように、隣接する帯板の端部相互を重ね合わせた部分Ａが支柱１、１５のスリット７に挿通されて、高さ６０ｃｍ程度の壁面を形成する。各支柱の第１と第２の棒材４、６の先端相互は、スリット７の所定の間隔を規定した状態で閉止部材３、３ａによって連結される。この閉止部材３、３ａを挿通した状態で、第１の棒材４の上端は、閉止部材３を貫通して上方に突出している。
【００３１】
防護柵に防鳥ネットを設けるときは、閉止部材３、３ａを貫通して突出している各支柱の第１の棒材４の先端にジョイント部材１０を介して上支柱２０を立設する。ジョイント部材１０は、閉止部材３、３ａを製作するのに用いたと同じパイプ材を所定長さに切断して、その上下部分に半径方向のねじ孔を設け、このねじ孔に止めボルト２１を螺合した構造で、パイプの両端から挿通された第１の棒材４の先端と上支柱２０の下端とをボルト２１を締結することによって固定する構造である。
【００３２】
上支柱２０の上端には、ジョイント部材１０のパイプ材と同じパイプ材で作ったＴ形の連結部材２２又は図６に示す屈折Ｔ形の角部の連結部材２３が挿通され、その水平方向に延びるパイプ孔に上支柱２０と同じ金属棒材からなる横梁２４を挿通して、上支柱２０の先端相互の間を横梁２４で連結する。
【００３３】
保護する農地が家庭菜園のような小面積なものであれば、この状態で防鳥ネット２５を被せてやればよいが、面積が大きいと、その周囲の横梁２４のみではネットの天井中央部が垂れ下がってしまうので、横梁２４を利用して、図７に示すような天井梁２６を設ける。天井梁２６は、横梁２４に図５に示したＴ形連結部材２２を挿通して横方向にして両端を支持し、天井梁２６相互の交差部は、交点係止部材２７でずれ止めする。
【００３４】
交点係止部材２７は、パイプ材２８の中間部にＵ字形に屈曲した板金製のブラケット２９を溶着した構造で、パイプ材２８の軸心とブラケット２９のＵ字の軸心とは直交する方向になっている。この交点係止部材２７は、上側となる天井梁２６をパイプ材２８に挿通した状態でブラケット２９を下方に向け、このブラケット２９で交差する下方の天井梁２６を挟み込むようにして装着される。必要があれば、この交点ブラケット２９を設けた位置の近傍に、下方となる天井梁２６にＴ形の連結部材２２を通しておき、このＴ形連結部材を地上に立設した補助柱で支持する。
【００３５】
上支柱２０の長さを１１０ｃｍ程度とすると、天井梁２６の高さは１８０ｃｍ程度となり、人が中で立って歩ける程度の高さとなる。
【００３６】
以上のようにして設置した上支柱２０、横梁２４及び天井梁２６で形成された骨組みを被うように防鳥ネット２５を覆着し、断面Ｃ形の合成樹脂製のクリップ３１や紐などで防鳥ネット２５の適宜箇所を支柱２０及び横梁２４に止着することにより、防鳥ネット２５を備えた防護囲を設置する。
【００３７】
上記のようにして設置された防護柵は、設置したときと反対の手順で防鳥ネット２５、天井梁２６、横梁２４、上支柱２０、閉止部材３、３ａ、波板２を順次取り外して行くことによって分解でき、最後に支柱１、１５を引き抜くことにより、全体を撤去できる。
【００３８】
このようにこの発明の防護柵は、設置及び撤去が容易にできるので、作物が実り始めて鳥獣の被害が予想されるときに設置し、収穫が終わったら撤去すればよく、使用しないときは、分解した各部材を一まとめにして風雨が当らないように保管しておけば、錆が発生したり、積雪等の外力で波板が折れ曲がったりするのを避けることができ、長期間繰り返して使用することができる。
【図面の簡単な説明】
【００３９】
【図１】柵が直線的に連結される部分の分解斜視図
【図２】図１の部分の平面図
【図３】柵の角部の分解斜視図
【図４】図３の部分の平面図
【図５】支柱に上支柱と横梁を取り付けた状態を示す斜視図
【図６】角部における上支柱と横梁との連結構造を示す斜視図
【図７】天井梁の取付構造を示す斜視図
【図８】防鳥ネットの止着構造を示す斜視図
【符号の説明】
【００４０】
１  支柱
２  波板
３  係止部材
４  第１の金属棒材
4a  第１の金属棒材上半部
4b  第１の金属棒材下半部
５  スペーサ
６  第２の金属棒材
７  スリット
10  ジョイント部材
15  角部の支柱
20  上支柱
24  横梁
25  防鳥ネット
31  クリップ
【図１】
2006166723.tif 000003
【図２】
2006166723.tif 000004
【図３】
2006166723.tif 000005
【図４】
2006166723.tif 000006
【図５】
2006166723.tif 000007
【図６】
2006166723.tif 000008
【図７】
2006166723.tif 000009
【図８】
2006166723.tif 000010